(57)【要約】【課題】配管パイプを相手方部品の開口口元部に対し正確にレーザ溶接して仮止めした状態でロー付け固定することができる内視鏡の管路部材接続方法を提供すること。【解決手段】相手方部品６ｂの開口口元部に、底面１０ａが軸線６ｘに対して６０°以上の角度（θ）のテーパ面状に形成された座繰り孔状の孔１０を、その孔深さ（ｄ）が配管パイプ６ａとの半径差（Δｒ）より大きくなるように穿設し、その座繰り孔状の孔１０の底部において配管パイプ６ａを相手方部品６ｂの開口の縁部にレーザ溶接で仮止めしてから、少なくとも座繰り孔状の孔１０が鑞で埋まる状態に配管パイプ６ａを相手方部品６ｂに対してロー付け固着した。【選択図】      図１
2006223518.tif 000002
【特許請求の範囲】
【請求項１】
内視鏡の管路を構成する配管パイプの端部をその配管パイプの接続相手である相手方部品の開口口元部に差し込んでロー付け固定するようにした内視鏡の管路部材接続方法において、
上記相手方部品の開口口元部に、底面が軸線に対して６０°以上の角度（θ）のテーパ面状に形成された座繰り孔状の孔を、その孔深さ（ｄ）が上記配管パイプとの半径差（Δｒ）より大きくなるように穿設し、その座繰り孔状の孔の底部において上記配管パイプを上記相手方部品の開口の縁部にレーザ溶接で仮止めしてから、少なくとも上記座繰り孔状の孔が鑞で埋まる状態に上記配管パイプを上記相手方部品に対してロー付け固着したことを特徴とする内視鏡の管路部材接続方法。
【発明の詳細な説明】
【技術分野】
【０００１】
この発明は内視鏡の管路部材接続方法に関する。
【背景技術】
【０００２】
内視鏡には、送気送水管路、吸引管路その他各種の管路が設けられており、そのような管路においては、配管パイプの端部がその配管パイプの接続相手である相手方部品の開口口元部にロー付け固定されている（例えば、特許文献１）。
【０００３】
そのような配管パイプの接続部においては、ロー付け作業時に配管パイプが相手方部品に対してぐらつかないように、両者を予め仮固定しておく必要がある。
そこで、相手方部品の開口を配管パイプの外径よりやや小さめに形成し、配管パイプの端部を変形させながらそこに差し込むことで仮止めとしていたが、配管パイプの端部の変形の具合等によっては溶融した鑞の流れ方が不均一になってロー付け状態が不完全なものになってしまう場合がある。
【特許文献１】特開平７−７９９１１
【発明の開示】
【発明が解決しようとする課題】
【０００４】
そこで、例えば図７に示されるように、配管パイプ９１の相手方部品９２の開口口元部に面取り状のテーパ孔９３を形成し、そのテーパ孔９３の底部において配管パイプ９１を相手方部品９２の開口の縁部にレーザ溶接して仮止めとすることが考えられる。
【０００５】
しかし、そのようなテーパ孔９３の底部の溶接部位は照明が届き難くて見難いため、配管パイプ９１を相手方部品９２の開口の縁部に正確にレーザ溶接するのが困難である。なお、相手方部品９２の開口口元部にテーパ孔９３を形成しないと、十分なロー付け強度が得られない恐れがある。
【０００６】
そこで本発明は、配管パイプを相手方部品の開口口元部に対し正確にレーザ溶接して仮止めした状態でロー付け固定することができる内視鏡の管路部材接続方法を提供することを目的とする。
【課題を解決するための手段】
【０００７】
上記の目的を達成するため、本発明の内視鏡の管路部材接続方法は、内視鏡の管路を構成する配管パイプの端部をその配管パイプの接続相手である相手方部品の開口口元部に差し込んでロー付け固定するようにした内視鏡の管路部材接続方法において、相手方部品の開口口元部に、底面が軸線に対して６０°以上の角度（θ）のテーパ面状に形成された座繰り孔状の孔を、その孔深さ（ｄ）が配管パイプとの半径差（Δｒ）より大きくなるように穿設し、その座繰り孔状の孔の底部において配管パイプを相手方部品の開口の縁部にレーザ溶接で仮止めしてから、少なくとも座繰り孔状の孔が鑞で埋まる状態に配管パイプを相手方部品に対してロー付け固着したものである。
【発明の効果】
【０００８】
本発明によれば、相手方部品の開口口元部に、底面が軸線に対して６０°以上の角度をなすテーパ面状に形成された座繰り孔状の孔を、その孔深さが配管パイプとの半径差より大きくなるように穿設したことにより、座繰り孔状の孔の底部のレーザ溶接部を確実に視認しながら、配管パイプを相手方部品の開口口元部に対し正確にレーザ溶接で仮止めすることができる。
【発明を実施するための最良の形態】
【０００９】
内視鏡の管路を構成する配管パイプの端部をその配管パイプの接続相手である相手方部品の開口口元部に差し込んでロー付け固定するようにした内視鏡の管路部材接続方法において、相手方部品の開口口元部に、底面が軸線に対して６０°以上の角度（θ）のテーパ面状に形成された座繰り孔状の孔を、その孔深さ（ｄ）が配管パイプとの半径差（Δｒ）より大きくなるように穿設し、その座繰り孔状の孔の底部において配管パイプを相手方部品の開口の縁部にレーザ溶接で仮止めしてから、少なくとも座繰り孔状の孔が鑞で埋まる状態に配管パイプを相手方部品に対してロー付け固着する。
【実施例】
【００１０】
図面を参照して本発明の実施例を説明する。
図３は内視鏡の操作部１における配管状態を示しており、操作部１の前面に送気送水操作弁２と吸引操作弁３が配置されていて、送気送水操作弁２には送気管４と送水管５が接続され、吸引操作弁３には吸引管６が接続されている。７は副送水管、８は処置具挿通チャンネルである。
【００１１】
吸引管６は図示されていない外部吸引装置に接続されるが、図４に示されるように、消化器検査用の内視鏡では外部吸引装置に接続するための吸引口金６０がライトガイドコネクタ９に配置され、図５に示されるように、気管支検査用の内視鏡では操作部１から直接延出するパイプの先端に吸引口金６０が取り付けられている。
【００１２】
図６は、吸引管６の途中に設けられている接続部を示しており、吸引操作弁３に接続されるステンレス鋼パイプ製の吸引パイプ６ａ（配管パイプ）の一端が吸引チューブ６ｃの一端に設けられた接続筒６ｂ（相手方部品）に接続固着されている。１ａは、接続筒６ｂを操作部１に固定するためのブラケットである。
【００１３】
吸引パイプ６ａと接続筒６ｂとは、例えば銀蝋等のような金属鑞によりロー付け固着されるが、ロー付け作業時に吸引パイプ６ａが接続筒６ｂに対してぐらつかないように、レーザ溶接により両者が予め仮固定されている。
【００１４】
図１は、吸引パイプ６ａと接続筒６ｂとの接続部の断面を拡大して示しており、円筒状に形成された接続筒６ｂの開口口元部に、底面１０ａが軸線６ｘに対して少なくとも６０°の角度（即ち、６０°≦θ＜９０°、好ましくは６０°≦θ≦７５°程度）のテーパ面状に形成された座繰り孔状の孔１０（即ち、底面が円錐面になっているが、全体が円錐面ではなく、口元寄りの部分は内径が一定の寸法に形成された孔）が穿設されている。
【００１５】
吸引パイプ６ａの端部は接続筒６ｂの開口口元部に緩く差し込まれていて、座繰り孔状の孔１０の底部において、吸引パイプ６ａが接続筒６ｂの開口の縁部にレーザ溶接により仮止め固定されている。Ａがそのレーザ溶接部である。
【００１６】
そして底面が円錐面状の座繰り孔状の孔１０は、接続筒６ｂの口元面からレーザ溶接部Ａまでの深さｄが、座繰り孔状の孔１０の内径（口元位置の径）と吸引パイプ６ａの外径との半径差Δｒより小さくなる形状に形成されている。即ち、ｄ＜Δｒである。
【００１７】
その結果、レーザ溶接作業を行う際にレーザ溶接部Ａを容易に照明して視認することができるので、吸引パイプ６ａを接続筒６ｂの開口口元部に対し正確にレーザ溶接で仮止めすることができる。
【００１８】
そのようにして、吸引パイプ６ａを接続筒６ｂに仮止めしたら、図２に示されるように、少なくとも座繰り孔状の孔１０内が全周にわたって鑞Ｂで埋まる状態に吸引パイプ６ａを接続筒６ｂに対しロー付け固着することで、吸引パイプ６ａが接続筒６ｂに対して強固に接続固着される。
【００１９】
なお、本発明は上記実施例に限定されるものではなく、例えば本発明は吸引管６だけでなく、送気管４や送水管５等を含め内視鏡に設けられている配管接続部のどの部分に対しても適用することができる。
【図面の簡単な説明】
【００２０】
【図１】本発明の実施例の吸引パイプと接続筒との接続部の側面断面図である。
【図２】本発明の実施例の吸引パイプと接続筒との接続部がロー付けされた状態の側面断面図である。
【図３】本発明の実施例の内視鏡の操作部の配管図である。
【図４】本発明が適用される消化器検査用内視鏡の側面図である。
【図５】本発明が適用される気管支検査用内視鏡の正面図である。
【図６】本発明の実施例の吸引パイプと接続筒との接続部周辺の側面図である。
【図７】従来の配管パイプと相手方部品との接続部の側面断面図である。
【符号の説明】
【００２１】
６  吸引管
６ａ  吸引パイプ（配管パイプ）
６ｂ  接続筒（相手方部品）
６ｘ  軸線
１０  座繰り孔状の孔
１０ａ  底面
Ａ  レーザ溶接部
Ｂ  鑞
【図１】
2006223518.tif 000003
【図２】
2006223518.tif 000004
【図３】
2006223518.tif 000005
【図４】
2006223518.tif 000006
【図５】
2006223518.tif 000007
【図６】
2006223518.tif 000008
【図７】
2006223518.tif 000009